(57)【要約】【課題】ナンバー・ディスプレイサービスなどの通信前情報サービスの場合の通話中着信に対しても、確実に応答することができるようにする。【解決手段】情報受信端末に対して電話回線を接続する状態と、前記情報受信端末に対して前記電話回線を接続せずに、他の通信路により通話や通信を可能とする状態とに切り換えるためのスイッチ手段を備える。通話中に、空いている電話回線に着信があったときに、例えば１６Ｈｚの周波数信号の断続周期を計測し、その計測の結果、周波数信号が呼出信号であると判別したときにのみ、通話中着信の通知をするようにする。【選択図】　　　　図４
2004032577.tif 000002
【特許請求の範囲】
【請求項１】
情報受信端末に対して電話回線を接続する状態と、前記情報受信端末に対して前記電話回線を接続せずに、他の通信路により通話や通信を可能とする状態とに切り換えるためのスイッチ手段と、
前記電話回線を通じた特定周波数の信号の到来を検知する特定周波数信号検知手段と、
前記特定周波数信号検知手段で検知された前記特定周波数の信号の断続周期を計測する周期計測手段と、
前記周期計測手段の計測結果から、前記特定周波数の信号が、呼出信号であるか否かを判別する呼出信号判別手段と、
前記情報受信端末により前記他の通信路による通話中あるいは通信中であると認識されているときに、前記呼出信号判別手段で、前記特定周波数の信号が、呼出信号であると判別したときに、前記情報受信端末の使用者に着信を知らせる使用中着信通知手段と
を備えることを特徴とする通信制御装置。
【請求項２】
請求項１に記載の通信制御装置において、
使用者が前記情報受信端末において特定の操作をしたことを検知する特定操作検知手段と、
前記使用中着信通知手段により前記情報受信端末の使用者に着信を知らせた後に、前記特定操作検知手段で、前記特定操作がなされたことが検知されたときに、前記スイッチ手段を、前記電話回線を前記情報受信端末に接続させる状態に切り換える手段と、
を備えることを特徴とする通信制御装置。
【請求項３】
請求項１または請求項２に記載の通信制御装置において、
前記電話回線は、通信前情報サービスについて契約をしている加入者回線であり、
前記周期判別手段は、前記呼出信号と、前記呼出信号以外の信号とを判別し、前記呼出信号以外の信号のときには、前記使用中着信通知手段を起動せずに、前記呼出信号を判別したときにのみ、前記使用中着信通知手段を起動する
ことを特徴とする通信制御装置。
【請求項４】
情報受信端末に対して電話回線を接続する状態と、前記情報受信端末に対して前記電話回線を接続せずに、他の通信路により通話や通信を可能とする状態とに切り換えるためのスイッチ手段を備える通信制御装置における通信中着信判定方法であって、
前記電話回線を通じた特定周波数の信号の到来を検知する特定周波数信号検知工程と、
前記特定周波数信号検知工程で検知された前記特定周波数の信号の断続周期を計測する周期計測工程と、
前記周期計測手段の計測結果から、前記特定周波数の信号が、呼出信号であるか否かを判別する呼出信号判別工程と、
前記情報受信端末により前記他の通信路による通話中あるいは通信中であるときに、前記呼出信号判別手段で、前記特定周波数の信号が、呼出信号であると判別したときに、前記情報受信端末の使用者に着信を知らせる使用中着信通知工程と
を備えることを特徴とする通信中着信判定方法。
【発明の詳細な説明】
【０００１】
【発明の属する技術分野】
この発明は、電話機などの情報受信端末において通話中または通信中に、空いている電話回線に到来する着信を、通話中または通信中の情報受信端末の使用者に知らせるようにする通信制御装置および通信中着信判定方法に関する。
【０００２】
【従来の技術】
例えば、内線通話や外線通話をしているときに、空いている電話回線に着信があった場合、その着信の到来を通話中の電話機の使用者に知らせるようにする通話中着信通知の技術が知られている。
【０００３】
この技術においては、着信時に電話局から送られてくる呼出信号が、周波数として、１５Ｈｚ以上２０Ｈｚ以下の信号、通常は１６Ｈｚの信号が用いられていることを利用して、空いている電話回線が極性反転された後の１６Ｈｚの信号を検出することにより、空いている電話回線に着信があったことを検出する。そして、その検出結果に基づいて、使用中の電話機に対して、例えば「ピー、ピー」などの通話中着信音を送出するようにする。
【０００４】
使用者は、この通話中着信音を聴取することにより、通話中着信があったことを知る。そして、使用者が、その通話中着信に応答するための特定の操作をすると、通信制御装置は、電話機をその通話中着信のあった電話回線に接続する。以上により、通話中であった電話機の使用者は、当該通話中着信に応答して通話できるようになる。
【０００５】
【発明が解決しようとする課題】
ところで、電話局のサービスとして、サービス契約者の受信端末に、発信者の加入者電話番号を通知するナンバー・ディスプレイサービスがある。図５は、このナンバー・ディスプレイサービスの場合の接続動作シーケンスである。
【０００６】
図５に示すように、ナンバー・ディスプレイサービスの契約者を着信先とする発呼があると、加入者線交換機は、当該契約者の情報受信端末（例えばナンバー・ディスプレイ対応の電話機）が接続されている電話回線の直流電圧の極性を反転させた後、情報受信端末起動信号ＣＡＲを、前記情報受信端末に送出する。
【０００７】
情報受信端末は、この情報受信端末起動信号ＣＡＲを受信すると、直流ループを生成して、これに対する一次応答信号を加入者線交換機に送る。
【０００８】
加入者線交換機は、この一次応答信号を受信すると、ナンバー・ディスプレイサービス用の情報を信号（ＭＯＤＥＭ信号）を情報受信端末に送る。
【０００９】
情報受信端末は、このＭＯＤＥＭ信号を受け取って、発呼した相手方の電話番号を、表示素子に表示する。そして、受信完了信号を加入者線交換機に送り、直流ループを断とする。
【００１０】
その後、加入者線交換機は、情報受信端末に通常の着信時と同じ呼出信号ＩＲを送ると共に、呼出中を示すため、発呼者側には、呼び出し音を送出する。
【００１１】
情報受信端末では、呼出信号ＩＲを受けて、通常の着信音（着信ベル）を鳴動し、着信を使用者に知らせる。そして、使用者がこの着信に対して応答操作をすると、情報受信端末は、直流ループを生成し直して、加入者線交換機に二次応答信号を送る。
【００１２】
加入者線交換機は、この二次応答信号に対して、反転している電話回線の極性の復極を行なう。以上により、発呼側と情報受信端末との間で、通話路が形成され、通話中となる。
【００１３】
上述のようなナンバー・ディスプレイサービスの着信のときにも、通話中着信通知を行なおうとする場合に、前述した従来の通話中着信通知方式を用いると、次のような問題が生じる。
【００１４】
すなわち、ナンバー・ディスプレイの場合の情報受信端末起動信号ＣＡＲは、信号としては、呼出信号と同じ周波数の信号、つまり１６Ｈｚの信号を用いている。このため、空いている電話回線が極性反転された後の１６Ｈｚの信号の存在を検出することにより、空いている電話回線に着信があったことを検出する従来の方式の場合には、呼出信号ＩＲの前に到来する１６Ｈｚの情報受信端末起動信号ＣＡＲを検出すると、その検出結果に基づいて、使用中の電話機に対して、例えば「ピー、ピー」という通話中着信音を送出するようになる。
【００１５】
そして、この通話中着信音を聴取した使用者が、通話中着信に応答するための特定の操作をすると、その特定の操作のタイミングによっては、加入者線交換機がビジートーンを送出し、通話中着信に対する応答が事実上できなくなってしまうことがある。
【００１６】
この発明は、以上の点にかんがみ、上述のような問題点を回避できる通信制御装置および通話中着信判定方法を提供することを目的とする。
【００１７】
【課題を解決するための手段】
上記の課題を解決するために、この発明による通信制御装置においては、
情報受信端末に対して電話回線を接続する状態と、前記情報受信端末に対して前記電話回線を接続せずに、他の通信路により通話や通信を可能とする状態とに切り換えるためのスイッチ手段と、
前記回線電圧を通じた特定周波数の信号の到来を検知する特定周波数信号検知手段と、
前記特定周波数信号検知手段で検知された前記特定周波数の信号の断続周期を計測する周期計測手段と、
前記周期計測手段の計測結果から、前記特定周波数の信号が、呼出信号であるか否かを判別する呼出信号判別手段と、
前記情報受信端末により前記他の通信路による通話中あるいは通信中であると認識されているときに、前記呼出信号判別手段で、前記特定周波数の信号が、呼出信号であると判別したときに、前記情報受信端末の使用者に着信を知らせる使用中着信通知手段と
を備えることを特徴とする。
【００１８】
【作用】
ナンバー・ディスプレイサービスの場合の情報受信端末起動信号ＣＡＲと、呼出信号ＩＲとは、周波数は、１６Ｈｚと共通であっても、その信号の断続の繰り返し周期が異なる。
【００１９】
すなわち、図６（Ａ）に示すように、呼出信号ＩＲは、１秒間継続した後、２秒間休止する断続動作を、３秒毎に繰り返す信号である。一方、情報受信端末起動信号ＣＡＲは、図６（Ｂ）に示すように、ａ＝０．４〜０．６秒間継続した後に、ｂ＝０．４〜０．６秒間休止する断続動作を、１秒毎に繰り返す信号である。
【００２０】
上述の構成のこの発明による通信制御装置においては、周期計測手段において、例えば１６Ｈｚの信号の断続周期が計測される。そして、呼出信号判別手段は、周期計測手段で計測された１６Ｈｚの信号の断続周期が、呼出信号の断続周期であるときに、呼出信号を判別し、情報受信端末起動信号は、呼出信号とは判別しない。
【００２１】
そして、情報受信端末の使用中が認識されているときに、呼出信号判別手段で呼出信号が判別されると、使用中着信通知手段は、使用中の情報受信端末の使用者に、例えば通話中着信音により着信を知らせるようにする。
【００２２】
したがって、ナンバー・ディスプレイサービスを伴う着信時でも通話中着信に対して確実に応答することができる。
【００２３】
【発明の実施の形態】
以下、この発明による通信制御装置の実施形態を、ＶｏＩＰ（Ｖｏｉｃｅ　ｏｖｅｒ　Ｉｎｔｅｒｎｅｔ　Ｐｒｏｔｏｃｏｌ）システムに使用するＶｏＩＰ−ＴＡ（Ｔｅｒｍｉｎａｌ　Ａｄａｐｔｅｒ）内蔵ルータに適用した場合について、図を参照しながら説明する。
【００２４】
図１は、この実施形態が適用されるＶｏＩＰシステムの全体の構成を示す図である。
【００２５】
図１において、１００は、ＶｏＩＰ−ＴＡ内蔵ルータである。この例のＶｏＩＰ−ＴＡ内蔵ルータ１００は、アナログ電話機を収容するためのコネクタ１００ａと、一般アナログ電話回線を収容するためのコネクタ１００ｂと、インターネット網などのＷＡＮ（Ｗｉｄｅ　Ａｒｅａ　Ｎｅｔｗｏｒｋ）に接続されるコネクタ１００ｃと、ＬＡＮ（Ｌｏｃａｌ　Ａｒｅａ　Ｎｅｔｗｏｒｋ）に接続されるコネクタ１００ｄとを備えている。
【００２６】
コネクタ１００ａには、アナログ電話機１が接続可能である。この例では、このアナログ電話機１は、ＬＣＤ（Ｌｉｑｕｉｄ　Ｃｒｙｓｔａｌ　Ｄｉｓｐｌａｙ）からなる表示部を備え、ナンバー・ディスプレイ対応端末とされている。
【００２７】
コネクタ１００ｂは、この例ではスプリッタ内蔵のＡＤＳＬ（Ａｓｙｍｍｅｔｒｉｃ　Ｄｉｇｉｔａｌ　Ｓｕｂｓｃｒｉｂｅｒ　Ｌｉｎｅ）モデム２を通じてアナログ公衆網３に接続されている。また、コネクタ１００ｃは、ＡＤＳＬモデム２を通じてインターネット網４に接続されている。なお、実際的には、ＡＤＳＬモデム２と、アナログ公衆網３およびインターネット網４との間には、電話局８が介在するものである。
【００２８】
さらに、コネクタ１００ｄは、ＬＡＮ５に接続される。この例では、ＬＡＮ５には、スイッチングハブ６を通じて複数の情報通信端末、例えば通信機能付きのパーソナルコンピュータ７Ａ，７Ｂが接続される。
【００２９】
ＶｏＩＰ−ＴＡ内蔵ルータ１００は、収容したアナログ電話機１をＶｏＩＰ電話機として使用することができるようにするためのＶｏＩＰ−ＴＡの機能を備えている。すなわち、後述もするように、ＶｏＩＰ−ＴＡ内蔵ルータ１００は、アナログ電話機１について、アナログ公衆網３を通じての一般アナログ電話通信を可能とさせると共に、インターネット網４を通じてのＩＰ電話通信を可能とさせるように構成されている。
【００３０】
また、ＶｏＩＰ−ＴＡ内蔵ルータ１００は、パーソナルコンピュータ７Ａ，７Ｂからのインターネット網４を通じた通信を可能とすると共に、パーソナルコンピュータ７Ａ，７Ｂが、スピーカとマイクロホンを備えていて、電話通信機能を備えるものであれば、パーソナルコンピュータ７Ａ，７Ｂについて、インターネット網４を通じてのＩＰ電話通信を可能とさせるように構成されている。
【００３１】
また、パーソナルコンピュータ７Ａ，７Ｂが電話通信機能を備えるものであれば、パーソナルコンピュータ７Ａ，７Ｂ間、およびこれらパーソナルコンピュータ７Ａ，７Ｂとアナログ電話機１との間での通話も、ＬＡＮ５を通じて可能とするように、ＶｏＩＰ−ＴＡ内蔵ルータ１００は構成されている。
【００３２】
図２は、このＶｏＩＰ−ＴＡ内蔵ルータ１００の具体的構成例を示すブロック図である。この図２に示すように、ＶｏＩＰ−ＴＡ内蔵ルータ１００は、ＣＰＵ（Ｃｅｎｔｒａｌ　Ｐｒｏｃｅｓｓｉｎｇ　Ｕｎｉｔ）１０１に対して、システムバス１０２を通じて各部が接続されて構成される。
【００３３】
システムバス１０２に接続されるプログラムＲＯＭ（Ｒｅａｄ　Ｏｎｌｙ　Ｍｅｍｏｒｙ）１０３は、このＶｏＩＰ−ＴＡ内蔵ルータ１００が実行する種々の処理プログラムと、必要なデータを記憶している。ＲＡＭ（Ｒａｎｄｏｍ　Ａｃｃｅｓｓ　Ｍｅｍｏｒｙ）１０４は、ワークエリアとして働くメモリである。
【００３４】
システムバス１０２に接続されるフラッシュメモリ１０５には、後述するＩＰアドレスと番号情報とのテーブル情報など、保持しておきたい種々の情報が記憶されている。
【００３５】
ＡＤＳＬモデム２が接続されるコネクタ１００ｃは、ＷＡＮ用のインターフェース１０６を介してシステムバス１０２に接続されている。また、スイッチングハブ６が接続されるコネクタ１００ｄは、ＬＡＮ用のインターフェース１０７を介してシステムバス１０２に接続されている。
【００３６】
また、アナログ電話機１が接続されるコネクタ１００ａは、アナログ内線制御ブロック１１０に接続される。また、アナログ公衆回線用とされるコネクタ１００ｂは、アナログ回線制御ブロック１２０に接続される。なお、この例では、前述したようにコネクタ１００ｂは、ＡＤＳＬモデム２を介してアナログ公衆網３に接続されている。
【００３７】
アナログ内線制御ブロック１１０は、オフフック検出回路１１１と、給電回路１１２と、コーデック回路１３０とからなる。オフフック検出回路１１１は、アナログ電話機１でのフックスイッチの操作を検出し、その検出出力を、Ｉ／Ｏポート１１３を通じてシステムバス１０２に供給する。給電回路１１２は、アナログ電話機１への給電を行なう。
【００３８】
コーデック回路１３０は、アナログ電話機１からのアナログ音声信号をデジタル音声信号に変換してパケット分解生成部１４０に供給し、また、パケット分解生成部１４０からのデジタル音声信号をアナログ音声信号に変換して、給電回路１１２を介してアナログ電話機１側に供給するようにする。コーデック回路１３０は、Ｉ／Ｏポート１３１を通じてシステムバス１０２に接続されている。
【００３９】
パケット分解生成部１４０は、コーデック回路１３０からのデジタル音声信号を圧縮してパケットを生成する。生成されたパケットは、ＣＰＵ１０１の制御にしたがって、インターフェース１０６を通じてネットワーク端末に対して送出され、あるいは、インターフェース１０７を通じてＬＡＮ５に送出される。
【００４０】
アナログ回線制御ブロック１２０は、極性検出回路１２１と、特定周波数信号検知手段を構成する１６Ｈｚ検出回路１２２と、直流ループ形成回路１２３と、ダイヤルパルス電流増幅回路１２４と、コーデック回路１３０とからなる。
【００４１】
極性検出回路１２１は、アナログ公衆網３に接続される交換機において、電話回線の極性が反転されたときに、そのことを検出し、その検出出力をＩ／Ｏポート１２５およびシステムバス１０２を通じてＣＰＵ１０１に通知する。
【００４２】
１６Ｈｚ検出回路１２２は、前述した情報受信端末起動信号ＣＡＲや呼出信号ＩＲなどの１６Ｈｚの信号を検出する。そして、その検出出力をＩ／Ｏポート１２６およびシステムバス１０２を通じてＣＰＵ１０１に通知する。ＣＰＵ１０１は、この１６Ｈｚの信号の検出出力を受けて、当該１６Ｈｚの信号の断続周期を計測し、その計測結果により、検出した１６Ｈｚの信号が、情報受信端末起動信号ＣＡＲか、あるいは呼出信号ＩＲかを判別するようにする。
【００４３】
直流ループ形成回路１２３は、Ｉ／Ｏポート１２７を通じたＣＰＵ１０１からの制御信号を受けて、直流ループを形成したり、あるいは形成していた直流ループを断としたりするようにする。
【００４４】
ダイヤルパルス電流増幅回路１２４は、Ｉ／Ｏポート１２７を通じたＣＰＵ１０１からの制御信号を受けて、その増幅率を制御する。
【００４５】
また、アナログ電話機１が接続されるコネクタ１００ａは、オフフック検出回路１１１およびリレースイッチ１０８を通じてアナログ公衆回線用のコネクタ１００ｂに接続される。リレースイッチ１０８には、ＣＰＵ１０１の処理により生成されるスイッチ制御信号が、システムバス１０２を通じ、Ｉ／Ｏポート１１４を通じて供給される。なお、リレースイッチ１０８は、通常は、図２に示すように、コネクタ１００ｂ側に接続されている。
【００４６】
［アナログ電話機１における発呼から通話状態までの動作］
以上のような構成のＶｏＩＰ−ＴＡ内蔵ルータ１００において、アナログ電話機１からの発呼時の動作について説明する。
【００４７】
この例のＶｏＩＰ−ＴＡ内蔵ルータ１００においては、一般アナログ公衆回線への発呼の際には、テンキーによりダイヤル入力された電話番号の情報を送出するようにするが、ＶｏＩＰによるネットワーク端末への発呼の場合には、アナログ電話機１で入力された番号を、ＩＰアドレスに変換して送出するようにする。この場合のネットワーク端末には、インターネット網４を通じた外部の端末と、ＬＡＮ５を通じたシステム内の端末の両方を含む。
【００４８】
すなわち、この例のＶｏＩＰ−ＴＡ内蔵ルータ１００においては、予め発呼したい相手のＩＰアドレスと、それに１対１に対応する番号（例えば４桁の番号）との対応テーブルが、使用者により設定されて、フラッシュメモリ１０５に記憶されている。
【００４９】
ＶｏＩＰ−ＴＡ内蔵ルータ１００は、この４桁の番号をアナログ電話機から受けたときに、フラッシュメモリ１０５に記憶されているテーブルを参照して、対応するＩＰアドレスを読み出して、インターネット網４を通じた相手への発信あるいはＬＡＮ５を通じた相手への発信を行なうようにする。
【００５０】
そして、この例のＶｏＩＰ−ＴＡ内蔵ルータ１００は、発呼に関しては、一般アナログ公衆回線への発呼（以下、一般発呼という）と、ネットワーク端末への発呼（以下、ＶｏＩＰ発呼という）とのいずれか一方を優先するように設定される。そして、優先されていない方の発呼を行なう場合には、予め定められている優先設定切り換えのための、例えば複数桁の番号を、電話番号あるいは、ＩＰアドレスに対応する番号の前に付加するようにする。
【００５１】
ＶｏＩＰ−ＴＡ内蔵ルータ１００は、この優先設定切り換えのための特定の複数桁の番号の有無により、優先設定の通りの発呼であるか、優先設定されていない方の発呼であるかを判別して、発呼制御するようにする。
【００５２】
図３のフローチャートを参照しながら、ＶｏＩＰ−ＴＡ内蔵ルータ１００におけるアナログ電話機１からの発呼についての処理の流れを説明する。図３の各ステップの処理は、ＣＰＵ１０１が実行するものである。
【００５３】
すなわち、ＶｏＩＰ−ＴＡ内蔵ルータ１００のＣＰＵ１０１は、オフフック検出回路１１１の検出出力を監視して、アナログ電話機１で、発呼のためにオフフック操作がなされたか否か判別し（ステップＳ１０１）、オフフック操作がなされたと判別したときには、リレースイッチ１０８を、給電回路１１２側に切り換える（ステップＳ１０２）。
【００５４】
そして、ＣＰＵ１０１は、発呼時の優先設定は、一般発呼とＶｏＩＰ発呼のいずれであるか判別する（ステップＳ１０３）。そして、優先設定はＶｏＩＰ発呼であると判別したときには、コーデック回路１３０を介してアナログ電話機１からの番号情報を受け取り、その番号情報の先頭に優先設定切り換えのための番号が含まれているか否か判別する（ステップＳ１０４）。
【００５５】
このステップＳ１０４で、受け取った番号情報の先頭に優先設定切り換えのための番号が含まれていないと判別したときには、アナログ電話機１からの番号入力は、ＶｏＩＰの発呼であるので、受け取った番号情報とＩＰアドレスとの対応を、フラッシュメモリ１０５に記憶されているテーブル情報を用いて検索し、検索結果のＩＰアドレスによりインターフェース１０６を通じて、インターネット網に接続される相手端末あるいはＬＡＮ５を通じての相手端末に対して発信する（ステップＳ１０５）。そして、この発信に対して相手応答を確認して（ステップＳ１０６）、通話状態になる（ステップＳ１０７）。
【００５６】
ステップＳ１０３で、優先設定は一般発呼であると判別したときには、コーデック回路１３０を介してアナログ電話機１からの番号情報を受け取り、その番号情報の先頭に優先設定切り換えのための番号が含まれているか否か判別し（ステップＳ１０８）、含まれていると判別したときには、ＶｏＩＰ発呼であるので、ステップＳ１０５に進み、上述したステップＳ１０５以下の処理ステップを実行する。
【００５７】
ステップＳ１０８で、コーデック回路１３０を介したアナログ電話機１からの番号情報の先頭に優先設定切り換え（このときにはＶｏＩＰ発呼への切り換えになる）のための番号が含まれていないと判別したときには、ステップＳ１０９に進む。また、ステップＳ１０４で、コーデック回路１３０を介したアナログ電話機１からの番号情報の先頭に優先設定切り換え（このときには一般発呼への切り換えになる）のための番号が含まれていると判別したときにも、ステップＳ１０９に進む。
【００５８】
ステップＳ１０９では、ＣＰＵ１０１は、アナログ電話機１からの入力番号を読み込みながら、直流ループ形成回路１２３により回線を捕捉し、ダイヤル（電話番号）をアナログ公衆網３に送出する。このダイヤル送出後、ＣＰＵ１０１は、リレースイッチ１０８をコネクタ１００ｂ側、つまり、アナログ電話回線側に切り換える（ステップＳ１１０）。ＣＰＵ１０１におけるダイヤル送出終了の判断は、一定時間、番号入力がない。そして、この発信に対して相手応答を確認して（ステップＳ１１１）、通話状態になる（ステップＳ１１２）。
【００５９】
そして、ステップＳ１０７のＶｏＩＰ発呼による通話中においては、アナログ電話機１からの音声信号は、コーデック回路１３０を介してパケット分解生成部１４０で圧縮されてパケット化される。そして、生成されたパケットは、内線通話の場合には、インターフェース１０７を通じて相手先に宛ててＬＡＮ５に送出され、あるいは外部のネットワーク端末とのＶｏＩＰ通話の場合には、インターフェース１０６およびＡＤＳＬモデム２を通じて、相手先に宛ててインターネット網４に送出される。
【００６０】
また、ステップＳ１１２の一般発呼による通話中においては、アナログ電話機１からの音声信号は、リレースイッチ１０８を通じてアナログ公衆網３に送出されて相手先に送られ、また、相手からの音声信号は、リレースイッチ１０８を通じてアナログ電話機１に送られる。
【００６１】
［アナログ電話機１での着信応答による通話］
この実施形態のＶｏＩＰ内蔵ルータ１００においては、リレースイッチ１０８が、通常は、図２の状態になっているので、アナログ公衆網３からの電話着信があったときには、アナログ電話機１で通常通りにその着信に対して応答して、通話状態となる。
【００６２】
また、インターフェース１０６を通じて受けたインターネット網４からの着信によりアナログ電話機１が指定されていた場合、あるいはインターフェース１０７を通じて受けたＬＡＮ５からの内線着信によりアナログ電話機１が指定された場合には、ＣＰＵ１０１は、リレースイッチ１０８を給電回路１１２側に切り換え、着信音をアナログ電話機１に通知する。
【００６３】
そして、アナログ電話機１で着信応答のためにオフフックされると、オフフック検出回路１１１の検出出力により、それをＣＰＵ１０１は検知し、相手方とのＶｏＩＰパケットによる通話を形成して、ステップＳ１０７と同様の通話中状態とする。
【００６４】
［ＶｏＩＰ通話中着信］
この実施形態のＶｏＩＰ内蔵ルータ１００においては、アナログ電話機１がＶｏＩＰ通話中の状態において、コネクタ１００ｂを通じての着信があったときには、ＣＰＵ１０１は、その着信を検知して、ＶｏＩＰ通話中のアナログ電話機１に、通話中着信音を送り、それを知らせるようにする。
【００６５】
そして、この通話中着信音を受けたアナログ電話機１の使用者が、当該通話中着信に応答するために、例えばフックスイッチを操作すると、ＣＰＵ１０１は、それをオフフック検出回路１１１を通じて検知し、給電回路１１２側に切り換えられていたリレースイッチ１０８を、コネクタ１００ｂ側に切り換えて、当該通話中着信に応答できるようにする。
【００６６】
この場合において、アナログ電話機１は、ナンバー・ディスプレイ対応装置であって、アナログ回線についてナンバー・ディスプレイサービス契約をしている場合に対処するように構成されている。
【００６７】
以下に、この実施形態のＶｏＩＰ内蔵ルータ１００におけるＶｏＩＰ通話中着信の際の動作を、図４のフローチャートを参照して説明する。この図４のフローチャートの各ステップの処理は、ＣＰＵ１０１が行なうものである。
【００６８】
すなわち、リレースイッチ１０８が給電回路１１２側に接続されている状態で、アナログ電話機１においてＶｏＩＰ通話中に、ＣＰＵ１０１は、極性検出回路１２１の検出出力を監視して、アナログ電話回線は極性反転されたかどうかを判別する（ステップＳ２０１）。
【００６９】
そして、極性反転されないと判別したときには、当該通話中を継続し（ステップＳ２１３）、その後、終話となったか否か判別し（ステップＳ２１４）、終話でなければ、ステップＳ２０１に戻り、終話であれば、終話処理をして（ステップＳ２１５）、図４の処理ルーチンを終了する。
【００７０】
ステップＳ２０１で、極性反転されたと判別したときには、１６Ｈｚの信号の受信を待ち（ステップＳ２０２）、１６Ｈｚの信号を受信すると、その断続周期の計測を行なう（ステップＳ２０３）。そして、その計測結果は、１６Ｈｚの信号は呼出信号ＩＲ（図６（Ａ）参照）であるか否か判別する（ステップＳ２０４）。その判別の結果が呼出信号ＩＲでなかったときには、情報受信端末起動信号ＣＡＲ（図６（Ｂ）参照）であるか否か判別し（ステップＳ２１１）、情報受信端末起動信号ＣＡＲでなかったときには、その他の処理を行なう（ステップＳ２１２）。
【００７１】
ステップＳ２１１で、１６Ｈｚの信号は情報受信端末起動信号ＣＡＲであると判別したときには、ステップＳ２０２に戻り、その後、送られてくる１６Ｈｚの信号（これは呼出信号ＩＲとなる）を受信し、次のステップＳ２０３で、その断続周期を計測するようにする。
【００７２】
そして、ステップＳ２０４で、ステップＳ２０３での断続周期の計測結果から、１６Ｈｚの信号が呼出信号ＩＲであると判別したときには、通話中着信音を、コーデック回路１３０、給電回路１１２、オフフック検出回路１１１を通じてアナログ電話機１に供給する（ステップＳ２０５）。
【００７３】
この通話中着信音を聴取したアナログ電話機１の使用者は、ＶｏＩＰ通話中に、アナログ電話回線に着信があったことを知る。そして、この着信に応答したい場合には、予め定められた操作、この例ではアナログ電話機１のフックスイッチを操作する。また、この着信に応答したくない場合には、フックスイッチを操作せずに、そのＶｏＩＰの通話状態を維持するようにする。
【００７４】
ＣＰＵ１０１では、オフフック検出回路１１１の検出出力から、アナログ電話機１の使用者が、通話中着信に対する応答操作をしたか否か判別する（ステップＳ２０６）。このステップＳ２０６で、通話中着信に対する応答操作をしなかったと判別したときには、ステップＳ２１３以降の処理に進み、ＶｏＩＰ通話を継続する。
【００７５】
また、ステップＳ２０６で、通話中着信に対する応答操作がなされたと判別したときには、ＣＰＵ１０１は、先ず、直流ループ形成回路１２３により回線を捕捉し、リレースイッチ１０８を、コネクタ１００ｂ側に切り換え、その後、直流ループ形成回路１２３を開放する。また、交換機に応答信号（ナンバー・ディスプレイの場合には二次応答信号となる）を送る（ステップＳ２０７）。
【００７６】
これに対して交換機は、電話回線の極性を元に戻す。ＣＰＵ１０１は、極性検出回路１２１でこれを確認する。以上により、アナログ電話機１では、ＶｏＩＰ通話中において、アナログ電話回線に到来した着信に応答して、その相手方との通話が可能となる（ステップＳ２０９）。
【００７７】
以上のようにして、この実施形態のＶｏＩＰ−ＴＡ内蔵ルータによれば、通話中着信がナンバー・ディスプレイサービスの場合の着信であっても、１６Ｈｚの信号の断続周期を計測することにより、情報受信端末起動信号ＣＡＲと呼出信号ＩＲとを判別して、呼出信号ＩＲを確認した後に、通話中着信音をアナログ電話機１に送出するようにしたので、確実に通話中着信に対する応答が可能になる。
【００７８】
［他の実施形態］
なお、通話中着信に応答する操作としては、上述の実施形態の場合のようなフックスイッチの操作に限られないことは言うまでもない。
【００７９】
また、図４の例においては、ＣＰＵ１０１は、電話回線の極性反転を検出した後に１６Ｈｚの信号の受信を判別するようにしたが、電話回線の極性反転の検出は省略して、１６Ｈｚの信号の受信を判別して通話中着信を検出するようにしても良い。
【００８０】
また、システム内にアドレス解決用としてゲートキーパーが設けられる場合には、ＶｏＩＰ−ＴＡ内蔵ルータ内には、上述の例のようなアドレス解決のための構成は不要である。
【００８１】
なお、上述の実施形態は、この発明による通信制御装置が、ＶｏＩＰ−ＴＡ内蔵ルータの場合であるが、この発明による通信制御装置は、この例に限られるものではなく、内線通話中や外線通話中に、空きの回線にあった着信についての通話中着信通知をする場合の全てに適用可能である。ＶｏＩＰ通信による通話中に、一般電話回線に着信があった場合に限られるものではないことも言うまでもない。
【００８２】
また、以上の例では、電話通話中における着信通知であったが、例えばコンピュータなどでのデータ通信中に着信があった場合に、その着信通知を行なう場合にも、この発明は適用できる。その場合には、例えば、コンピュータのスピーカにより、通話中着信音（通信中着信音）を放音して、着信があったことを使用者に知らせるようにすることができる。
【００８３】
また、以上の説明は、ナンバー・ディスプレイサービスの場合について説明したが、通信前情報サービスとしては、ナンバー・ディスプレイサービスに限られるものではなく、例えばネーム・ディスプレイサービスなど、通信前に所定のサービスを実施するものに適用可能であることは勿論である。
【００８４】
【発明の効果】
以上説明したように、この発明によれば、ナンバー・ディスプレイサービスなどの通信前情報サービスの場合の通話中着信に対しても、確実に応答することができるようになる。
【図面の簡単な説明】
【図１】この発明による通信制御装置が適用された電話システムの一例を示す図である。
【図２】この発明による通信制御装置の実施形態としてのＶｏＩＰ−ＴＡ内蔵ルータの構成例を示すブロック図である。
【図３】図２の例のＶｏＩＰ−ＴＡ内蔵ルータにおける動作を説明するためのフローチャートを示す図である。
【図４】この発明による通信中着信判定方法の実施形態を説明するためのフローチャートを示す図である。
【図５】ナンバー・ディスプレイサービスを伴う場合の着信シーケンスを説明するための図である。
【図６】呼出信号ＩＲと、情報受信端末起動信号ＣＡＲとを説明するための図である。
【符号の説明】
１　アナログ電話機
３　アナログ公衆網
４　インターネット網
５　ＬＡＮ
１００　ＶｏＩＰ−ＴＡ内蔵ルータ
１１１　オフフック検出回路
１２１　極性検出回路
１２２　１６Ｈｚ検出回路
１２３　直流ループ形成回路
１３０　コーデック回路
１４０　パケット分解生成部
【図１】
2004032577.tif 000003
【図２】
2004032577.tif 000004
【図３】
2004032577.tif 000005
【図４】
2004032577.tif 000006
【図５】
2004032577.tif 000007
【図６】
2004032577.tif 000008